(57)【要約】【課題】簡単な構成で確実にリムを保持できる眼鏡フレームを提供すること。【解決手段】厚さ方向に沿ってリム１０に貫通孔１１，１４が貫通形成され、ヨロイ２０（リム保持部材）に突設されるピン２１，２４が貫通孔１１，１４に貫設される。ピン２１，２４の先端側と一体の係止部２３，２６がリム１０の厚さ方向端面に沿って移動されることで、リム１０は、係止部２３，２６とヨロイ２０との間でピン２１，２４を介して挟持される。このときの係止部２３，２６の移動の方向と、挟持されたリム１０が係止部２３，２６に付与する荷重の方向とが同一線上にないので、係止部２３，２６を外れ難くできる。また、ピン２１，２４を介してヨロイ２０と係止部２３，２６とにリム１０が挟持されるので、リム１０をガタつき難くでき、ヨロイ２０にリム１０を確実に保持できる。【選択図】図２
2013050588.tif 000002
【特許請求の範囲】
【請求項１】
レンズを保持するリムと、
そのリムに、前記レンズの厚さ方向に沿って貫通形成される貫通孔と、
前記リムを保持するリム保持部材と、
そのリム保持部材に突設され前記貫通孔に貫設されるピンと、
そのピンの先端側と一体に形成または前記ピンと別部材として形成され、前記リムの厚さ方向端面に沿って移動されることで前記リム保持部材との間で前記ピンを介して前記リムを挟持する係止部とを備えていることを特徴とする眼鏡フレーム。
【請求項２】
前記ピンは、先端側が鍔状に形成されるものであり、
前記係止部は、前記リムの厚さ方向端面における前記貫通孔の所定箇所より幅広に設定されると共に、前記ピンの先端側と一体に形成または前記ピンの先端側と前記リムの厚さ方向端面との間に挟装され前記リムの厚さ方向端面を圧接するものであることを特徴とする請求項１記載の眼鏡フレーム。
【請求項３】
前記係止部は、前記ピンの基部側より太く設定されると共に前記ピンの先端側と一体に形成され前記リムの厚さ方向端面を圧接するものであり、
前記貫通孔は、
前記係止部が挿通される大径部と、
その大径部に連設されると共に、前記大径部および前記係止部より幅狭に設定され、前記ピンの基部側が嵌挿される小径部とを備えていることを特徴とする請求項１又は２に記載の眼鏡フレーム。
【請求項４】
前記小径部は、前記大径部の上側に連設されていることを特徴とする請求項３記載の眼鏡フレーム。
【請求項５】
前記貫通孔は、前記リムの複数箇所に貫通形成されるものであり、
前記ピンは、前記貫通孔の位置に対応して前記リム保持部材の複数箇所に突設されるものであることを特徴とする請求項１から４のいずれかに記載の眼鏡フレーム。
【請求項６】
前記リム保持部材の複数箇所に突設されるピンは、
前記ピンの基部側より太く設定されると共に前記ピンの先端側と一体に形成され前記リムの厚さ方向端面を圧接する係止部をそれぞれ備え、
前記リムの複数箇所に貫通形成される貫通孔は、
前記係止部が挿通される大径部と、
その大径部に連設されると共に、前記大径部および前記係止部より幅狭に設定され、前記ピンの基部側が嵌挿される小径部とをそれぞれ備え、
それら小径部は、互いに平行状または同一線上に位置することを特徴とする請求項５記載の眼鏡フレーム。
【請求項７】
前記貫通孔に貫設される前記ピンの先端側を隠蔽する隠蔽部材を備え、
その隠蔽部材は、前記貫通孔または前記ピンの先端側と係合する係合部を備えていることを特徴とする請求項１から６のいずれかに記載の眼鏡フレーム。
【発明の詳細な説明】
【技術分野】
【０００１】
本発明は眼鏡フレームに関し、特に、簡単な構成で確実にリムを保持できる眼鏡フレームに関するものである。
【背景技術】
【０００２】
従来より、レンズやリムを保持する眼鏡フレームとして、レンズやリムに孔部を貫通形成し、この孔部に眼鏡フレームに突設されたビスを挿通し、そのビスの先端にナットを締結することによりレンズやリムを保持するものが知られている。しかし、ビスに締結されたナットが緩み易いという問題がある。
【０００３】
そこで、ビス及びナットを使用しないで、レンズやリムに貫通形成された孔部に、眼鏡フレームに突設されたピンを差し込むことによりレンズやリムを保持する技術がある。例えば、特許文献１には、レンズやリムに貫通形成した孔部に、眼鏡フレームに突設されたスリット付きの筒ピンを差し込み、その筒ピンの中に抜け止め部材を反対側から押し込む技術が開示されている。特許文献１に開示される技術では、抜け止め部材によって筒ピンを押し広げることにより筒ピンが孔部に圧接され、レンズやリムが眼鏡フレームに保持される。
【先行技術文献】
【特許文献】
【０００４】
【特許文献１】特開２０００−１７１７５８号公報
【発明の概要】
【発明が解決しようとする課題】
【０００５】
しかしながら、特許文献１に開示される技術（特許文献１の第１実施の形態から第７実施の形態）では、レンズやリムに貫通形成された孔部に筒ピンが圧接されることでレンズやリムが眼鏡フレームに保持されるので、レンズやリムは、孔部の内壁に筒ピンの外周が圧接される部分を中心に、眼鏡フレームに対して揺動し易い。孔部の内壁に筒ピンの外周が圧接される部分の面積は小さい（点接触に近い）からである。そのため、眼鏡フレームに保持されたレンズやリムがガタつき易いという問題点があった。
【０００６】
また、特許文献１に開示される技術（特許文献１の第１実施の形態から第６実施の形態）では、抜け止め部材が押し込まれて押し広げられた筒ピンは、その反作用として、抜け止め部材を押し戻そうとする荷重を抜け止め部材に付与する。抜け止め部材を筒ピンに押し込む方向と、筒ピンが抜け止め部材に付与する荷重の方向とが同一線上にあるので、筒ピンに押し込まれた抜け止め部材が押し戻され易い。筒ピンに押し込まれた抜け止め部材が押し戻されると、筒ピンの広がりが小さくなるため、孔部に差し込まれた筒ピンと孔部とに隙間が生じる。隙間が生じると、眼鏡フレームに保持されたレンズやリムがガタつき易く、レンズやリムが眼鏡フレームから外れ易いという問題点があった。
【０００７】
本発明は上述した問題点を解決するためになされたものであり、簡単な構成で確実にリムを保持できる眼鏡フレームを提供することを目的とする。
【課題を解決するための手段および発明の効果】
【０００８】
この目的を達成するために、請求項１記載の眼鏡フレームによれば、レンズが保持されるリムにレンズの厚さ方向に沿って貫通孔が貫通形成される。貫通孔には、リムを保持するリム保持部材に突設されるピンが貫設される。ピンの先端側と一体に形成またはピンと別部材として形成される係止部がリムの厚さ方向端面に沿って移動されることで、リムは、係止部とリム保持部材との間でピンを介して挟持される。即ち、リム保持部材との間にリムが挟持されるときの係止部の移動の向きは、リムの厚さ方向端面に沿う方向である。一方、リムは、係止部とリム保持部材との間に挟持されることの反作用により、ピンに沿う向きに係止部に荷重を付与する。このように、リムが挟持されるときの係止部の移動の方向と、挟持されたリムが係止部に付与する荷重の方向とが同一線上にないので、係止部を貫通孔から外れ難くできる。これにより、簡単な構成で確実にリムを保持できる効果がある。
【０００９】
また、リムの厚さ方向に貫設されるピンを介してリム保持部材と係止部とにリムが挟持されるので、リム保持部材に対してリムをガタつき難くできる。これにより、リムを確実に保持できる効果がある。
【００１０】
請求項２記載の眼鏡フレームによれば、リムの厚さ方向端面における貫通孔の所定箇所より係止部が幅広に設定され、係止部はリムの厚さ方向端面を圧接するものである。係止部は、ピンの先端側と一体に形成またはピンの先端側とリムの厚さ方向端面との間に挟装されるものであり、ピンは先端側が鍔状に形成されるものである。これにより請求項１の効果に加え、ピンを単純な形状にすることができ、ピンの先端側の微細加工を省略できる効果がある。
【００１１】
請求項３記載の眼鏡フレームによれば、リム保持部材にリムを保持するときは、まず、貫通孔の大径部に係止部を挿通する。大径部に連設された小径部は、大径部および係止部より幅狭に設定されると共にピンの基部側が嵌挿されるので、次に、小径部にピンを相対移動させると、ピンの先端側と一体に形成される係止部が、小径部の周囲のリムの厚さ方向端面を圧接する。これにより請求項１又は２の効果に加え、リム保持部材にリムを簡易に保持できる効果がある。
【００１２】
請求項４記載の眼鏡フレームによれば、小径部は大径部の上側に連設されているので、眼鏡を装用したときに、大径部に対し小径部は重力方向の上側に位置する。眼鏡を装用してリムに重力が作用したときに、係止部を大径部の方向に移動し難くできる。これにより請求項３の効果に加え、眼鏡を装用しているときに、係止部が小径部からずれて大径部から外れてしまうことを防止できる効果がある。
【００１３】
請求項５記載の眼鏡フレームによれば、貫通孔は、リムの複数箇所に貫通形成されるものであり、ピンは、貫通孔の位置に対応してリム保持部材の複数箇所に突設されるものであるので、請求項１から４のいずれかの効果に加え、リムの貫通孔にピンが貫設された状態で、リム保持部材に対するリムの相対回転を防止できる効果がある。
【００１４】
請求項６記載の眼鏡フレームによれば、リム保持部材の複数箇所に突設されるピンは、ピンの基部側より太く設定されると共に、ピンの先端側と一体に形成されリムの厚さ方向端面を圧接する係止部をそれぞれ備えている。また、リムの複数箇所に貫通形成される貫通孔は、係止部が挿通される大径部と、その大径部に連設されると共に大径部および係止部より幅狭に設定され、ピンの基部側が嵌挿される小径部とをそれぞれ備えている。それら小径部は、互いに平行状または同一線上に位置するので、リム保持部材にリムを保持するときに、まず、貫通孔の大径部に係止部を挿通し、次に小径部にピンを相対移動させると、ピンの先端側と一体に形成される係止部が、小径部のそれぞれの周囲のリムの厚さ方向端面を圧接する。これにより請求項５の効果に加え、リム保持部材にリムを簡易に保持できる効果がある。
【００１５】
請求項７記載の眼鏡フレームによれば、隠蔽部材は係合部により貫通孔またはピンの先端側と係合し、貫通孔に貫設されるピンの先端側が隠蔽部材により隠蔽される。これにより請求項１から６のいずれかの効果に加え、貫通孔に貫設されたピンの先端側がリムの厚さ方向端面に露呈することを防止でき、リムを美麗にできる効果がある。
【図面の簡単な説明】
【００１６】
【図１】（ａ）は第１実施の形態における眼鏡フレームの正面図であり、（ｂ）はリムの正面図であり、（ｃ）は図１（ｂ）のＩｃ−Ｉｃ線におけるリム及びレンズの断面図である。
【図２】眼鏡フレームの分解斜視図である。
【図３】図１のＩＩＩ−ＩＩＩ線における眼鏡フレームの断面図である。
【図４】第２実施の形態における眼鏡フレームの分解斜視図である。
【図５】第３実施の形態における眼鏡フレームの分解斜視図である。
【図６】第４実施の形態における眼鏡フレームの分解斜視図である。
【図７】第５実施の形態における眼鏡フレームの分解斜視図である。
【発明を実施するための形態】
【００１７】
以下、本発明の好ましい実施の形態について、添付図面を参照して説明する。まず、図１を参照して、本発明の第１実施の形態における眼鏡フレーム１を説明する。図１（ａ）は第１実施の形態における眼鏡フレーム１の正面図であり、図１（ｂ）は左のリム１０（図１（ａ）右側）の正面図であり、図１（ｃ）は図１（ｂ）のＩｃ−Ｉｃ線におけるリム及びレンズの断面図である。図１（ａ）に示すように眼鏡フレーム１は、レンズ２を保持する左右のリム１０と、左右のリム１０の内側を相互に連結するブリッジ３と、左右のリム１０の外側に取着されるヨロイ２０とを備えて構成されている。ヨロイ２０は、装用者の側頭部に装着されるテンプル４が連設されている。なお、レンズ２は、視力矯正用の度付きレンズ、サングラス用の着色レンズ等、種々のレンズを採用できる。
【００１８】
リム１０は、レンズ２の周りを囲む縁を形成するための部材であり、ＴＲ９０等のナイロン系樹脂、ポリカーボネート、ＮＸＴ樹脂等の合成樹脂により形成される。図１（ｂ）に示すように、リム１０の外側（図１（ｂ）右側）の略中央の２箇所に長孔状の貫通孔１１，１４が形成されている。貫通孔１１，１４は、ヨロイ２０の背面側に突設されたピン２１，２４が挿通される部位であり、上下方向の２箇所に並設されている。また、リム１０の内側（図１（ｂ）左側）の上側に、ブリッジ３の背面側に突設されたピン３ａ，３ｂが挿通される貫通孔１７，１８が２箇所に形成されている。
【００１９】
図１（ｃ）に示すように、リム１０は板状に形成されており、リム１０の板状の内周縁１０ａがレンズ２の外周に形成された溝２ａに嵌挿されることでリム１０にレンズ２が保持される。これにより、リム１０に対してレンズ２の着脱を容易に行うことができる。また、レンズ２を保持するリム１０にブリッジ３やヨロイ２０が連結されるので、ブリッジ３やヨロイ２０をレンズ２に連結する場合（リムレスタイプ）と比較して、ブリッジ３やヨロイ２０によって装用者の視野が狭くなることが防止される。また、リム１０をデザインすることにより眼鏡フレーム１の装飾性を向上できる。
【００２０】
次に図２を参照して、眼鏡フレーム１の組立方法について説明する。図２は眼鏡フレーム１の分解斜視図である。なお、図２は左のリム１０（図１（ａ）右側）の背面側左斜め上から見た状態を図示しており、リム１０の内側およびテンプル４の長手方向の図示を省略している。テンプル４は、ヨロイ２０の側面からリム１０の外周面（コバ面）１０ｂの外側を通ってリム１０の背面１０ｃ側に延設されている。
【００２１】
ヨロイ２０は、眼鏡フレーム１のフロント両端を形成するための部材であり、略直方体の塊状に形成され、背面２０ａの上下２箇所にピン２１，２４が突設されている。ピン２１，２４は、ヨロイ２０の背面２０ａに立設される軸部２２，２５と、その軸部２２，２５の先端側が拡がって鍔状に形成される係止部２３，２６とを備えている。軸部２２，２５はピン２１，２４の基部側を構成する部位であり、円筒状に形成されている。係止部２３，２６は軸部２２，２５より太く設定され軸部２２，２５と一体に形成されている。
【００２２】
リム１０は、リム１０の厚さ方向に亘って貫通孔１１，１４が貫通形成されている。貫通孔１１，１４は、ピン２１，２４の位置に対応してリム１０の外側の２箇所に形成されており、係止部２３，２６に対応して位置する大径部１２，１５と、その大径部１２，１５の上側にそれぞれ連設された小径部１３，１６とを備え、全体として上側が幅狭の長孔状に形成されている。
【００２３】
大径部１２，１５は、ピン２１，２４の先端側の係止部２３，２６及びピン２１，２４の基部側の軸部２２，２５が挿通される部位であり、係止部２３，２６の太さより少し大きめに形成されている。小径部１３，１６は軸部２２，２５が挿通される一方、係止部２３，２６がリム１０の背面側の厚さ方向端面（背面１０ｃ）と係合される部位であり、大径部１２，１５及び係止部２３，２６より幅狭に形成されると共に、軸部２２，２５が嵌挿される幅に設定されている。また、２つの貫通孔１１，１４の小径部１３，１６は、同一線上に位置している。
【００２４】
リム１０にヨロイ２０を装着して眼鏡フレーム１を組み立てるときは、ピン２１，２４の係止部２３，２６を貫通孔１１，１４の大径部１２，１５に挿通した後、リム１０の背面側の厚さ方向端面（背面１０ｃ）に沿ってピン２１，２４の係止部２３，２６を貫通孔１１，１４の小径部１３，１６に向かって移動（スライド）させる。２つの貫通孔１１，１４の小径部１３，１６は同一線上に位置しているので、ピン２１，２４の軸部２２，２５がスムーズに小径部１３，１６に嵌挿され、リム１０の背面１０ｃにおける小径部１３，１６の縁部にピン２１，２４の係止部２３，２６が係合する。これにより、ピン２１，２４を介して係止部２３，２６とヨロイ２０との間でリム１０が挟持される。
【００２５】
また、貫通孔１１，１４はリム１０の２箇所に貫通形成されるものであり、ピン２１，２４は貫通孔１１，１４の位置に対応してヨロイ２０の２箇所に突設されているので、リム１０の貫通孔１１，１４（小径部１３，１６）にピン２１，２４（軸部２２，２５）が貫設された状態で、ヨロイ２０に対するリム１０の相対回転を防止できる。
【００２６】
また、小径部１３，１６は大径部１２，１５の上側に連設されているので、装用者が眼鏡（眼鏡フレーム１）を装用したときに、大径部１２，１５に対し小径部１３，１６は重力方向の上側に位置する。これにより、装用者が眼鏡（眼鏡フレーム１）を装用してリム１０に重力が作用したときに、大径部１２，１５の方向に係止部２３，２６をずれ難くすることができる。その結果、装用中に大径部１２，１５から係止部２３，２６が外れてしまうことを防止できる。
【００２７】
また、図２に示すように、眼鏡フレーム１は、ヨロイ２０が装着されるリム１０の反対面（背面１０ｃ）に装着される隠蔽部材３０を備えている。隠蔽部材３０は、貫通孔１１，１４に貫設されるピン２１，２４の先端側を隠蔽するための部材であり、略直方体の塊状に形成されている。隠蔽部材３０は、リム１０に形成された貫通孔１１，１４と係合する係合部３１，３２が突設されている。係合部３１，３２が貫通孔１１，１４に嵌挿されることにより、隠蔽部材３０がリム１０の背面１０ｃに装着される。これにより、貫通孔１１，１４及び貫通孔１１，１４に貫設されたピン２１，２４の先端側（係止部２３，２６）がリム１０の厚さ方向端面（背面１０ｃ）に露呈することを防止でき、リム１０を美麗にできる。
【００２８】
次に図３を参照して、リム１０とヨロイ２０との連結構造について説明する。図３は図１のＩＩＩ−ＩＩＩ線における眼鏡フレーム１の断面図である。なお、リム１０とブリッジ３（図１（ａ）参照）とを連結する構造は、リム１０とヨロイ２０とを連結する構造と同様であるので、以下の説明を省略する。
【００２９】
図３に示すように、ヨロイ２０は、リム１０の厚さ方向（図３左右方向）に亘って貫通形成された貫通孔１１，１４に、ヨロイ２０の背面２０ａに突設されたピン２１，２４が貫設されることにより、リム１０に連結される。ピン２１，２４は、リム１０の厚さより少し短めに形成された円筒状の軸部２２，２５と、軸部２２，２５の先端側が拡径されて幅広の鍔状に形成される係止部２３，２６とを備え、ヨロイ２０の上下２箇所に突設されている。係止部２３，２６はピン２１，２４の先端に向かうにつれ軸部２２，２５から漸次拡径する傾斜部２３ａ，２６ａを備えており、軸部２２，２５はリム１０の厚さより少し短めに形成されている。
【００３０】
そのため、係止部２３，２６をリム１０に沿ってスライドさせるときは、傾斜部２３ａ，２６ａの傾斜によって係止部２３，２６を小径部１３，１６（図２参照）にスムーズに導くことができる。また、リム１０の厚さ方向端面（背面１０ｃ）における貫通孔１１，１４（小径部１３，１６）の縁部に係止部２３，２６（傾斜部２３ａ，２６ａ）が圧接され、リム１０は、ヨロイ２０の背面２０ａと係止部２３，２６（傾斜部２３ａ，２６ａ）との間にピン２１，２４を介して挟持される。これにより、ヨロイ２０に対してリム１０をガタつき難くでき、リム１０はヨロイ２０に確実に保持される。
【００３１】
また、ヨロイ２０の背面２０ａと係止部２３，２６（傾斜部２３ａ，２６ａ）との間でリム１０を挟持して眼鏡フレーム１を組み立てるときの係止部２３，２６の移動の向きは、小径部１３，１６の長手方向であり（図２参照）、リム１０の厚さ方向端面に沿う方向（図３上下方向）である。一方、リム１０は、係止部２３，２６とヨロイ２０との間に挟持されることの反作用により、ピン２１，２４に沿う向き（図３左右方向）に係止部２３，２６（傾斜部２３ａ，２６ａ）に荷重を付与する。このように、リム１０が挟持されるときの係止部２３，２６の移動の方向（図３上下方向）と、挟持されたリム１０が係止部２３，２６に付与する荷重の方向（図３左右方向）とが同一線上にないので、係止部２３，２６を貫通孔１１，１４から外れ難くできる。これにより、簡単な構成で確実にリム１０を保持できる。
【００３２】
また、ピン２１，２４はヨロイ２０の上下２箇所に突設されているので、これらのピン２１，２４と同じ太さの１本のピンを用いてリム１０を保持する場合と比較して、機械的強度を向上できる。さらにヨロイ２０の上下２箇所に突設させたピン２１，２４を介して、ヨロイ２０の背面２０ａとピン２１，２４の係止部２３，２６（傾斜部２３ａ，２６ａ）との間でリム１０を挟持することにより、ヨロイ２０がリム１０に対してピン２１，２４を中心に揺動することを防止できる。その結果、リム１０に対するヨロイ２０のガタつきを防止できる。
【００３３】
隠蔽部材３０は、貫通孔１１，１４に嵌挿され係合される係合部３１，３２と、その係合部３１，３２の上側（図３上側）の根元にそれぞれ凹設される凹部３３，３４とを備えている。凹部３３，３４は、貫通孔１１，１４に貫設されるピン２１，２４の先端側（係止部２３，２６）を受け入れるための部位であり、リム１０の厚さ方向端面（背面１０ｃ）に貫通孔１１，１４から突出する係止部２３，２６の先端を受け入れるだけの広さと深さとを有している。隠蔽部材３０は凹部３３，３４を備えているので、隠蔽部材３０が、係止部２３，２６によってリム１０の厚さ方向端面（背面１０ａ）から浮き上がることが防止され、リム１０に装着された隠蔽部材３０のガタつきを防止できる。
【００３４】
次に図４を参照して、第２実施の形態について説明する。第１実施の形態では、ヨロイ２０がリム１０の正面１０ｄ側に装着される場合について説明した。これに対し第２実施の形態では、ヨロイ１２０がリム１０の背面１０ｃ側に装着される場合について説明する。なお、第１実施の形態と同一の部分は、同一の符号を付して以下の説明を省略する。図４は第２実施の形態における眼鏡フレーム１０１の分解斜視図である。図４は左のリム１０（図１（ａ）右側）の背面側左斜め上から見た状態を図示しており、リム１０の内側およびテンプル４の長手方向の図示を省略している。
【００３５】
ヨロイ１２０は、正面１２０ａの上下２箇所にピン２１，２４が突設されており、テンプル４は、ヨロイ１２０の側面からリム１０の背面１０ｃ側に延設されている。ヨロイ１２０に突設されたピン２１，２４をリム１０の背面１０ｃ側から正面１０ｄ側に向かって貫通孔１１，１４に挿通し、係止部２３，２６と小径部１３，１６とが係合されることによりリム１０がヨロイ１２０に保持される。隠蔽部材３０の係合部３１，３２をリム１０の正面１０ｄ側から貫通孔１１，１４に嵌挿することにより、隠蔽部材３０がリム１０の正面１０ｄ側に装着されると共に、隠蔽部材３０がリム１０に装着される。これにより、貫通孔１１，１４及び貫通孔１１，１４に貫設されたピン２１，２４の先端側がリム１０の厚さ方向端面（正面１０ｄ）に露呈することを防止でき、リム１０を美麗にできる。
【００３６】
次に図５を参照して、第３実施の形態について説明する。第１実施の形態および第２実施の形態では、貫通孔１１，１４がリム１０の複数箇所に貫通形成され、その貫通孔１１，１４に対応する位置に複数本のピン２１，２４がヨロイ２０，１２０に突設される場合について説明した。これに対し第３実施の形態では、貫通孔２１１及びピン２２１が、リム２１０及びヨロイ２２０の各１箇所に形成される場合について説明する。なお、第１実施の形態と同一の部分は、同一の符号を付して以下の説明を省略する。図５は第３実施の形態における眼鏡フレーム２０１の分解斜視図である。図５は左のリム（図１（ａ）右側）の背面側左斜め上から見た状態を図示しており、リム２１０の内側およびテンプル４の長手方向の図示を省略している。
【００３７】
ヨロイ２２０は、背面２２０ａの略中央にピン２２１が突設されている。ピン２２１は、ヨロイ２２０の背面２２０ａに立設される軸部２２２と、その軸部２２２の先端側が拡がって鍔状に形成される係止部２２３とを備えている。軸部２２２は軸に直交する断面が矩形状（多角形状）に形成されており、係止部２２３は軸部２２２より太く設定され軸部２２２と一体に形成されている。
【００３８】
リム２１０は、リム２１０の厚さ方向に亘って貫通孔２１１が貫通形成されている。貫通孔２１１はリム２１０の外側の１箇所に形成されており、係止部２２３が挿通される大径部２１２と、その大径部２１２の上側に連設されると共に軸部２２２が嵌挿される小径部２１３とを備え、全体として上側が幅狭の長孔状に形成されている。
【００３９】
リム２１０にヨロイ２２０を装着して眼鏡フレーム２０１を組み立てるときは、ピン２２１の係止部２２３を貫通孔２１１の大径部２１２に挿通した後、リム２１０の背面側の厚さ方向端面（背面２１０ｃ）に沿ってピン２２１の係止部２２３を貫通孔２１１の小径部２１３に向かって移動（スライド）させる。リム２１０の背面２１０ｃにおける小径部２１３の縁部にピン２２１の係止部２２３が係合されると、ピン２２１を介して係止部２２３とヨロイ２２０との間でリム２１０が挟持される。
【００４０】
貫通孔２１１の小径部２１３に、軸に直交する断面が矩形状に形成される軸部２２２が嵌挿されるので、貫通孔２１１及びピン２２１がリム２１０及びヨロイ２２０の各１箇所に形成される場合であっても、リム２１０の貫通孔２１１（小径部２１３）にピン２２１（軸部２２２）が貫設された状態で、ヨロイ２２０に対するリム２１０の相対回転を防止できる。これにより、ピン２２１及び貫通孔２１１をヨロイ２２０及びリム２１０の複数箇所に設けることを不要にできる。
【００４１】
次に図６を参照して、第４実施の形態について説明する。第３実施の形態では、貫通孔２１１及びピン２２１がリム２１０及びヨロイ２２０の各１箇所に形成される場合に、ピン２２１（軸部２２２）の断面を多角形状にすることにより、ヨロイ２２０に対するリム２１０の相対回転を防止するものを説明した。これに対し第４実施の形態では、リム３１０の外周面３１０ｂの一部が切欠された切欠部３１２をリム３１０に設け、テンプル４の基部を切欠部３１２に係合させることによって、ヨロイ３２０に対するリム３１０の相対回転を防止する場合について説明する。
【００４２】
また、第１実施の形態から第３実施の形態では、軸部２２，２５，２２２（ピン２１，２４，２２１）と一体の鍔状に形成された係止部２３，２６，２２３とヨロイ２０，１２０，２２０との間でリム１０，１１０，２１０を挟持する場合について説明した。これに対し第４実施の形態では、ピン３２１とは別部材として形成される係止部３３１を用い、その係止部３３１とヨロイ３２０との間でリム３１０を挟持する場合について説明する。なお、第１実施の形態と同一の部分は、同一の符号を付して以下の説明を省略する。図６は第４実施の形態における眼鏡フレーム３０１の分解斜視図である。図６は左のリム（図１（ａ）右側）の正面側右斜め上から見た状態を図示しており、リム３１０の内側およびテンプル４の長手方向の図示を省略している。
【００４３】
ヨロイ３２０は、背面３２０ａの略中央に突設されるピン３２１を備えている。ピン３２１は、ヨロイ３２０の背面３２０ａに立設される筒状の軸部３２２と、その軸部３２２の先端に鍔状に一体形成されると共に先端に向かって漸次拡径する鍔部３２３とを備えている。
【００４４】
リム３１０は、リム３１０の厚さ方向に亘って貫通孔３１１が貫通形成されている。貫通孔３１１は、リム３１０の外側の略中央の１箇所に形成されており、ピン３２１の鍔部３２３の太さより少し大きめに形成されることでピン３２１が挿通される。なお、リム３１０の厚さ方向における貫通孔３１１の長さは、ピン３２１の軸部３２２の長さと略同一に形成されているので、リム３１０の正面３１０ｄからピン３２１を貫通孔３１１に挿通すると、リム３１０の厚さ方向端面（背面３１０ｃ）からピン３２１の鍔部３２３が突出する。
【００４５】
また、リム３１０は、リム３１０の外周面３１０ｂの一部がリム３１０の厚さ方向に亘って切欠形成される切欠部３１２が、貫通孔３１１と並設されている。切欠部３１２は、ヨロイ３２０に突設されたピン３２１が貫通孔３１１に挿通されるときに、ヨロイ３２０の外側に延設されたテンプル４の基部が係合される部位である。
【００４６】
隠蔽部材３３０は、貫通孔３１１に貫設されるピン３２１の先端側を隠蔽するための部材であり、略直方体の塊状に形成されている。隠蔽部材３３０は、底面３３０ａから正面３３０ｂに亘って開口形成される係合部３３１と、その係合部３３１の周囲の正面３３０ｂに形成される係止部３３２とを備えている。係合部３３１は、ピン３２１が貫通孔３１１に挿通されたときにリム３１０の厚さ方向端面（背面３１０ｃ）に突出するピン３２１の鍔部３２３と係合する部位である。また、係止部３３２は、鍔部３２３と係合部３３１とを係合させたときにリム３１０の厚さ方向端面（背面３１０ｃ）に圧接される部位である。
【００４７】
係合部３３１は、隠蔽部材３３０の底面３３０ａと正面３３０ｂとの稜線３３０ｃの略中央に開口形成され鍔部３２３が導入される開口部３３１ａと、開口部３３１ａから隠蔽部材３３０の上側に向かって形成され、開口部３３１ａから導入された鍔部３２３を受け入れる凹欠部３３１ｂと、凹欠部３３１ｂの終端で正面１１０ｂの略中央に形成され鍔部３２３が係止される終端部３３１ｃとを備えている。係合部３３１は、拡径形成されるピン３２１の鍔部３２３の形状に応じて、隠蔽部材３３０の正面３３０ｂから背面３３０ｄに向かって拡幅するように切欠形成されている。
【００４８】
リム３１０にヨロイ３２０を装着して眼鏡フレーム３０１を組み立てるときは、ピン３２１を貫通孔３１１に挿通した後、隠蔽部材３３０の係止部３３２をリム３１０の背面３１０ｃに圧接しつつ、リム３１０の背面３１０ｃから突出した鍔部３２３を隠蔽部材３３０の開口部３３１ａ（係合部３３１）に導入する。隠蔽部材３３０をリム３１０の背面３１０ｃに沿って移動（スライド）させ、凹欠部３３１ｂから終端部３３１ｃに鍔部３２３を移動させる。これにより、ピン３２１を介して係止部３３２（隠蔽部材３３０）とヨロイ３２０との間でリム３１０が挟持される。さらに、リム３１０の貫通孔３１１に挿入されたピン３２１に加え、リム３１０に形成された切欠部３２１とテンプル４の基部とが係合することにより、ヨロイ３２０に対するリム３１０の相対回転を防止できる。
【００４９】
また、隠蔽部材３３０は、係止部３３２の略中央に、ピン３２１の鍔部３２３と係合する係合部３３１が凹設されているので、リム３１０の背面３１０ｃから突出した鍔部３２３を係合部３３２に導入すれば、隠蔽部材３３０の係止部３３２がリム３１０の背面３１０ｃに圧接される。係止部３３２及びヨロイ３２０によるリム３１０の挟持と、隠蔽部材３３０によるピン３２１の隠蔽とを同時に行うことができるので、眼鏡フレーム３０１の組立作業性に優れると共に、鍔部３２３（ピン３２１）がリム３１０の背面３１０ｃに露呈することを防止しリム３１０を美麗にできる。
【００５０】
次に図７を参照して、第５実施の形態について説明する。第４実施の形態では、ピン３２１の先端側に形成された鍔部３２３に、係止部３３２が形成された隠蔽部材３３０を係合させて、ヨロイ３２０と係止部３３２との間でリム３１０を挟持する場合について説明した。これに対し第５実施の形態では、ピン４２１に形成された孔部４２１ａに係止部４２２を係合させて、ヨロイ４２０と係止部４２２との間でリム４１０を挟持する場合について説明する。なお、第１実施の形態と同一の部分は、同一の符号を付して以下の説明を省略する。図７は第５実施の形態における眼鏡フレーム４０１の分解斜視図である。図７は左のリム（図１（ａ）右側）の背面側左斜め上から見た状態を図示しており、リム４１０の内側およびテンプル４の長手方向の図示を省略している。
【００５１】
ヨロイ４２０は、背面４２０ａの略中央に突設されるピン４２１を備えて構成されている。ピン４２１は、ヨロイ４２０の背面４２０ａに立設される筒状の軸部４２２と、その軸部４２２の軸方向に対し交差して軸部４２２に貫通形成された孔部４２３とを備えている。孔部４２３は、内周壁が一端から他端に向かって漸次縮径している。
【００５２】
リム４１０は、リム４１０の厚さ方向に亘ってピン４２１が挿通される貫通孔４１１が貫通形成されている。貫通孔４１１は、リム４１０の外側の略中央の１箇所に形成されており、その大きさはピン４２１が嵌挿される大きさである。なお、ピン４２１に形成される孔部４２３の位置は、ピン４２１を貫通孔４１１に挿通してヨロイ４２０の背面４２０ａがリム４１０の正面４１０ｄに当接したときに、孔部４２３がリム４１０の背面４１０ｃに現れるように設定されている。
【００５３】
また、リム４１０には、リム４１０の外周４１０ｂの一部がリム４１０の厚さ方向に亘って切欠形成される切欠部４１２が貫通孔４１１の外側に並設されている。切欠部４１２は、ヨロイ４２０に突設されたピン４２１が貫通孔４１１に挿通されるときに、ヨロイ４２０の外側に延設されたテンプル４の基部が係合される部位である。
【００５４】
係止部４２４は、ピン４２１に形成される孔部４２３に嵌挿されて外周面がリム４１０の背面４１０ｃに圧接される部材であり、孔部４２３の形状に応じて軸方向の先端に向かって漸次縮径されている。ピン４２１を貫通孔４１１に挿通して、ヨロイ４２０の背面４２０ａがリム４１０の正面４１０ｄに当接したときにリム４１０の背面４１０ｃに現れるピン４２１の孔部４２３に先端側から嵌挿される。
【００５５】
リム４１０にヨロイ４２０を装着して眼鏡フレーム４０１を組み立てるときは、ピン４２１を貫通孔４１１に挿通した後、リム４１０の背面４１０ｃに突出したピン４２１の孔部４２３に係止部４２４を嵌挿しつつ、リム４１０の背面４１０ｃに係止部４２４の外周面を圧接する。これにより、ピン４２１を介して係止部４２４とヨロイ４２０との間でリム４１０が挟持される。以上のような簡易な構成でヨロイ４２０にリム４１０が保持されるので、簡易に眼鏡フレーム４０１を組み立てることができる。さらに、リム４１０の貫通孔４１１に挿入されたピン４２１に加え、リム４１０の切欠部４１２とテンプル４の基部とが係合することにより、ヨロイ４２０に対するリム４１０の相対回転を防止できる。
【００５６】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値（例えば貫通孔１１，１４，１７，１８，２１１，３１１，４１１及びピン３ａ，３ｂ，２１，２４，２２１，３２１，４２１の数）や形状（例えばヨロイ２０，１２０，２２０，３２０，４２０の形状）は一例であり、他の数値や形状を採用することは当然可能である。
【００５７】
上記各実施の形態では、レンズ２の全周をリム１０，２１０，３１０，４１０が囲むフルリムタイプの眼鏡フレーム１，１０１，２０１，３０１，４０１について説明したが、必ずしもこれに限られるものではなく、レンズ２の周りを部分的に囲むセミリムタイプ（ブロウバーやアンダーリム等）の眼鏡フレームに適用することは当然可能である。
【００５８】
上記各実施の形態では、眼鏡フレーム１，１０１，２０１，３０１，４０１のヨロイ２０，１２０，２２０，３２０，４２０とリム１０，２１０，３１０，４１０とを接合する構造について説明したが、必ずしもこれに限られるものではなく、ブリッジ３とリム１０，２１０，３１０，４１０とを接合する場合に同様の構成を採用することは当然可能である。この場合はブリッジ３にピン３ａ，３ｂを突設し、リム１０，２１０，３１０，４１０に、そのピン３ａ，３ｂに対応する位置に貫通孔を貫通形成する。
【００５９】
なお、ブリッジ３にピン３ａ，３ｂを突設し、そのピン３ａ，３ｂをリム１０，２１０，３１０，４１０に形成した貫通孔（図示せず）に貫設することにより左右のリム１０，２１０，３１０，４１０を連結する眼鏡フレームに限定するものではない。ブリッジ３とリム１０，２１０，３１０，４１０とを一体に形成することにより左右のリム１０，２１０，３１０，４１０を、ピン３ａ，３ｂを介さずにブリッジ３で連結する眼鏡フレームに適用することは当然可能である。これにより眼鏡フレームのデザインの自由度を向上できる。また、ブリッジ３にノーズパッドを設けることは当然可能である。
【００６０】
上記各実施の形態では、リム１０，２１０，３１０，４１０が合成樹脂で形成される場合について説明したが、必ずしもこれに限られるものではなく、眼鏡フレームのデザインに応じて、金属製のリムを採用することは当然可能である。
【００６１】
上記第１実施の形態および第２実施の形態では、リム１０の複数箇所に貫通形成された貫通孔１１，１４の小径部１３，１６が同一線上に位置する場合について説明した。複数の小径部１３，１６を同一線上に位置させることにより、リム１０の幅が狭い場合にも貫通孔１１，１４を複数箇所に形成することができるため、リム１０のデザインの自在性を向上できる。しかし、必ずしもこれに限られるものではなく、小径部１３，１６を互いに平行に位置するように設けることは当然可能である。この場合もリム１０とヨロイ２０，１２０とを相対移動させることで、ピン２１，２４を小径部１３，１６にスムーズに進入させられるからである。
【００６２】
また、上記第１実施の形態および第２実施の形態では、小径部１３，１６がリム１０の上下方向に沿って直線状に形成される場合について説明したが、必ずしもこれに限られるものではなく、小径部１３，１６を曲線状（円弧状）に形成することは当然可能である。小径部１３，１６を円弧状に形成することで、小径部１３，１６に進入したピン２１，２４（軸部２２，２５）を抜け難くできる。なお、この場合も小径部１３，１６を同一線上（同一曲線上）に位置させるだけでなく、小径部１３，１６を互いに平行に位置させる（同心円状に配置する）ことは当然可能である。
【００６３】
上記第４実施の形態および第５実施の形態では、リム３１０，４１０の外周面３１０ｂ，４１０ｂに形成された切欠部３１２，４１２にテンプル４の基部を係合して、ヨロイ３２０，４２０とリム３１０，４１０との相対回転を防止する場合について説明したが、必ずしもこれに限られるものではない。例えば、ピン３２１，４２１と同じ方向に突設される凸起部をヨロイ３２０，４２０に設け、その凸起部をリム３１０，４１０に形成された切欠部３１２，４１２に係合するようにすることは当然可能である。
【００６４】
また、第４実施の形態および第５実施の形態において、リム３１０，４１０の複数箇所に貫通孔３１１，４１１を形成し、ヨロイ３２０，４２０には、その貫通孔３１１，４１１に対応する位置に複数のピン３２１，４２１を突設し、それらピン３２１，４２１と貫通孔３１１，４１１との係合によりヨロイ３２０，４２０とリム３１０，４１０との相対回転を防止することは当然可能である。その場合に、複数の貫通孔３１１，４１１の一部を窪み（リム３１０，４１０の厚さ方向に貫通していない）に代えることも当然可能である。この場合も貫通孔３１１，４１１及び窪みとピン３２１，４２１との係合によりヨロイ３２０，４２０とリム３１０，４１０との相対回転を防止できるからである。
【００６５】
上記第４実施の形態では、係合部３３１及び係止部３３２が隠蔽部材３３０に形成される場合について説明した。即ち、係合部３３１を有底状に形成することにより、ピン３２１の先端側が隠蔽されるようにした。しかし、必ずしもこれに限られるものではなく、係合部３３１を無底状に形成する、即ち係合部３３１及び係止部３３２を略コ字状に形成することは当然可能である。係合部３３１が無底状に形成されることでピン３２１の先端側を隠蔽できないが、ヨロイ３２０にリム３１０を保持することが可能となる。
【符号の説明】
【００６６】
１，１０１，２０１，３０１，４０１              眼鏡フレーム
２                                              レンズ
３                                              ブリッジ（リム保持部材）
３ａ，３ｂ                                      ピン
１０，２１０，３１０，４１０                    リム
１１，１４，１７，１８，２１１，３１１，４１１  貫通孔
１２，１５，２１２                              大径部
１３，１６，２１３                              小径部
２０，１２０，２２０，３２０，４２０            ヨロイ（リム保持部材）
２１，２４，２２１，３２１，４２１              ピン
２３，２６，２２３，３３２，４２４              係止部
３０，３３０                                    隠蔽部材
３３，３４，３３１                              係合部
【図１】
2013050588.tif 000003
【図２】
2013050588.tif 000004
【図３】
2013050588.tif 000005
【図４】
2013050588.tif 000006
【図５】
2013050588.tif 000007
【図６】
2013050588.tif 000008
【図７】
2013050588.tif 000009